(57)【要約】【課題】  互いに異なる別の長尺材をそれぞれ切断することができ、かつ、使い勝手がよい切断工具を提供する。【解決手段】  切断工具１は、第１の長尺材５１を切断すべく支持する支持体２を有する、工具本体３と、回動軸心４回りに回動可能な刃体５と、刃体５を回動させる回動手段６とを備える。支持体２は、第１の長尺材５１とは異なる別の第２の長尺材５２を、切断すべく支持するためのアダプタ７が、着脱可能に装着される、装着部８を備える。アダプタ７は、刃体５が進入可能な進入空間９を間に形成するように対向位置して第２の長尺材５２を支持する一対の支持部７ａ、７ａと、それら一対の支持部７ａ、７ａを連結する連結部７ｂとを有する。連結部７ｂは、アダプタ７を装着部８に装着した状態で、刃体５の回動範囲の外側に位置するように形成されている。【選択図】  図１
2014104118.tif 000002
【特許請求の範囲】
【請求項１】
長尺材を切断する切断工具であって、
前記長尺材を切断すべく支持するための支持体を有する、工具本体と、前記工具本体における前記支持体の側方を回動軸心としてその回動軸心回りに回動可能な刃体と、前記刃体を前記支持体側に回動させる回動手段とを備え、
前記支持体は、アダプタが着脱可能に装着される装着部を備え、前記装着部に対して、前記アダプタを着脱することで、または、前記装着部に対して、複数種類の前記アダプタを選択的に装着することで、または、前記装着部における前記アダプタの装着位置を調節することで、前記長尺材としての、第１の長尺材と、その第１の長尺材とは異なる別の第２の長尺材とを、それぞれ切断すべく支持可能であり、
前記アダプタは、前記刃体が進入可能な進入空間を間に形成するように対向位置して前記長尺材を支持する一対の支持部と、それら一対の支持部を連結する連結部とを有し、
前記連結部は、前記アダプタを前記装着部に装着した状態で、前記刃体の回動範囲の外側に位置するように形成されてなる、切断工具。
【請求項２】
長尺材を切断する切断工具であって、
前記長尺材としての第１の長尺材を切断すべく支持する支持体を有する、工具本体と、前記工具本体における前記支持体の側方を回動軸心としてその回動軸心回りに回動可能な刃体と、前記刃体を前記支持体側に回動させる回動手段とを備え、
前記支持体は、前記長尺材としての、前記第１の長尺材とは異なる別の第２の長尺材を、切断すべく支持するためのアダプタが、着脱可能に装着される、装着部を備え、
前記アダプタは、前記刃体が進入可能な進入空間を間に形成するように対向位置して前記第２の長尺材を支持する一対の支持部と、それら一対の支持部を連結する連結部とを有し、
前記連結部は、前記アダプタを前記装着部に装着した状態で、前記刃体の回動範囲の外側に位置するように形成されてなる、切断工具。
【請求項３】
前記連結部は、前記一対の支持部の下端側に設けられており、その連結部は、前記アダプタを前記装着部に装着した状態で、前記支持体側の回動終点位置に位置する前記刃体よりも下方に位置する、請求項１または２に記載の切断工具。
【発明の詳細な説明】
【技術分野】
【０００１】
この発明は、長尺材を切断する切断工具に関するものである。
【背景技術】
【０００２】
従来、長尺材を切断する切断工具として、例えば、樹脂製パイプを切断するパイプカッターがあった（特許文献１参照）。図１２に示されるように、このパイプカッター１０１は、基端側を操作柄部１０３とした一対の作動片１０２、１０２が、ピン１０４を介して回動自在に軸支されていた。そして、一方の作動片１０２の先端側には、樹脂製パイプ（図示せず）を切断可能な刃部１０５が設けられ、他方の作動片１０２の先端側には、樹脂製パイプ（図示せず）を収容可能な円弧面１０６ａ、１０６ａを形成した保持部１０６が設けられていた。さらに、その保持部１０６の左右の円弧面１０６ａ、１０６ａには、小径の樹脂製パイプ（図示せず）を収容可能な一組のアダプタ１０７、１０７を取り付けるための穴１０６ｂ、１０６ｂが形成されていた。こうして、このパイプカッター１０１は、保持部１０６の円弧面１０６ａ、１０６ａに対して、一組のアダプタ１０７、１０７を着脱することにより、径の異なる複数の樹脂製パイプの切断に使用することができた。
【先行技術文献】
【特許文献】
【０００３】
【特許文献１】特開２００７−２７５４６２号公報
【発明の概要】
【発明が解決しようとする課題】
【０００４】
しかしながら、このパイプカッター１０１にあっては、一組のアダプタ１０７、１０７の双方を、円弧面１０６ａ、１０６ａに対してそれぞれ個別に着脱しなければならなかった。このため、アダプタ１０７、１０７の着脱に手間がかかり、また、アダプタ１０７の不使用時には、両アダプタ１０７、１０７が散らばって紛失しないように注意を払う必要があった。このように、パイプカッター１０１は、使い勝手がよくなかった。
【０００５】
この発明は、上記した問題を解決するためになされたものであり、その目的とするところは、互いに異なる別の長尺材をそれぞれ切断することができ、かつ、使い勝手がよい切断工具を提供することにある。
【課題を解決するための手段】
【０００６】
この発明に係る切断工具は、前記目的を達成するために、次の構成からなる。すなわち、
請求項１に記載の発明に係る切断工具は、長尺材を切断する切断工具であって、前記長尺材を切断すべく支持するための支持体を有する、工具本体と、前記工具本体における前記支持体の側方を回動軸心としてその回動軸心回りに回動可能な刃体と、前記刃体を前記支持体側に回動させる回動手段とを備える。ここで、前記支持体は、アダプタが着脱可能に装着される装着部を備え、前記装着部に対して、前記アダプタを着脱することで、または、前記装着部に対して、複数種類の前記アダプタを選択的に装着することで、または、前記装着部における前記アダプタの装着位置を調節することで、前記長尺材としての、第１の長尺材と、その第１の長尺材とは異なる別の第２の長尺材とを、それぞれ切断すべく支持可能である。そして、前記アダプタは、前記刃体が進入可能な進入空間を間に形成するように対向位置して前記長尺材を支持する一対の支持部と、それら一対の支持部を連結する連結部とを有する。さらに、前記連結部は、前記アダプタを前記装着部に装着した状態で、前記刃体の回動範囲の外側に位置するように形成されている。
【０００７】
この切断工具によると、工具本体は、長尺材を切断すべく支持するための支持体を有し、その支持体は、アダプタが着脱可能に装着される装着部を備えている。そこで、装着部に対して、アダプタを着脱することで、または、装着部に対して、複数種類のアダプタを選択的に装着することで、または、装着部におけるアダプタの装着位置を調節することで、前記長尺材としての、第１の長尺材と、その第１の長尺材とは異なる別の第２の長尺材とを、それぞれ切断すべく支持可能となり、その後、回動手段により、刃体を支持体側に回動させることで、この切断工具は、それら長尺材、すなわち、互いに異なる別の長尺材をそれぞれ切断することができる。ここで、アダプタは、刃体が進入可能な進入空間を間に形成するように対向位置して長尺材を支持する一対の支持部が、連結部によって連結されており、装着部に対して各支持部をそれぞれ個別に着脱する必要がない。このため、この切断工具は、アダプタの着脱に手間がかからず、また、アダプタの不使用時に、両支持部が散らばって紛失しないように注意を払う必要もない。しかも、連結部は、アダプタを装着部に装着した状態で、刃体の回動範囲の外側に位置するように形成されているため、長尺材を切断する際に、連結部が刃体と干渉して刃体の回動を妨げる虞もない。
【０００８】
また、請求項２に記載の発明に係る切断工具は、長尺材を切断する切断工具であって、前記長尺材としての第１の長尺材を切断すべく支持する支持体を有する、工具本体と、前記工具本体における前記支持体の側方を回動軸心としてその回動軸心回りに回動可能な刃体と、前記刃体を前記支持体側に回動させる回動手段とを備える。ここで、前記支持体は、前記長尺材としての、前記第１の長尺材とは異なる別の第２の長尺材を、切断すべく支持するためのアダプタが、着脱可能に装着される、装着部を備える。そして、前記アダプタは、前記刃体が進入可能な進入空間を間に形成するように対向位置して前記第２の長尺材を支持する一対の支持部と、それら一対の支持部を連結する連結部とを有する。さらに、前記連結部は、前記アダプタを前記装着部に装着した状態で、前記刃体の回動範囲の外側に位置するように形成されている。
【０００９】
この切断工具によると、工具本体は、第１の長尺材を切断すべく支持する支持体を有し、その支持体は、第１の長尺材とは異なる別の第２の長尺材を、切断すべく支持するためのアダプタが、着脱可能に装着される、装着部を備えている。そこで、装着部に対して、アダプタを着脱することで、第１の長尺材と第２の長尺材とを、それぞれ切断すべく支持可能となり、その後、回動手段により、刃体を支持体側に回動させることで、この切断工具は、それら長尺材、すなわち、互いに異なる別の長尺材をそれぞれ切断することができる。ここで、アダプタは、刃体が進入可能な進入空間を間に形成するように対向位置して第２の長尺材を支持する一対の支持部が、連結部によって連結されており、装着部に対して各支持部をそれぞれ個別に着脱する必要がない。このため、この切断工具は、アダプタの着脱に手間がかからず、また、アダプタの不使用時に、両支持部が散らばって紛失しないように注意を払う必要もない。しかも、連結部は、アダプタを装着部に装着した状態で、刃体の回動範囲の外側に位置するように形成されているため、第２の長尺材を切断する際に、連結部が刃体と干渉して刃体の回動を妨げる虞もない。
【００１０】
また、請求項３に記載の発明に係る切断工具は、請求項１または２に記載の切断工具において、前記連結部は、前記一対の支持部の下端側に設けられており、その連結部は、前記アダプタを前記装着部に装着した状態で、前記支持体側の回動終点位置に位置する前記刃体よりも下方に位置する。
【発明の効果】
【００１１】
この発明に係る切断工具によれば、支持体の装着部に対してアダプタを着脱することで、または、装着部に対して、複数種類のアダプタを選択的に装着することで、または、装着部におけるアダプタの装着位置を調節することで、互いに異なる別の長尺材をそれぞれ切断することができる。そして、アダプタは、一対の支持部が連結部によって連結されているため、装着部に対して各支持部をそれぞれ個別に着脱する必要がなく、使い勝手がよい。しかも、連結部は、アダプタを装着部に装着した状態で、刃体の回動範囲の外側に位置するように形成されているため、連結部が刃体と干渉して刃体の回動を妨げる虞もない。
【図面の簡単な説明】
【００１２】
【図１】この発明の第一の実施の形態の、切断工具の正面図である。
【図２】同じく、切断工具の平面図である。
【図３】同じく、図１におけるＡ−Ａ線による拡大断面図である。
【図４】同じく、支持体およびアダプタの拡大斜視図である。
【図５】同じく、第１の長尺材と第２の長尺材とを組み付けた状態を示す、拡大縦断面図である。
【図６】同じく、第１の長尺材を切断する過程を示す、正面図である。
【図７】同じく、第２の長尺材を切断する過程を示す、正面図である。
【図８】同じく、別の第１の長尺材を切断する過程を示す、正面図である。
【図９】この発明の第二の実施の形態の、支持体およびアダプタの拡大斜視図である。
【図１０】同じく、第１の長尺材を切断する過程を示す、正面図である。
【図１１】同じく、第２の長尺材を切断する過程を示す、正面図である。
【図１２】従来の切断工具を示す斜視図である。
【発明を実施するための形態】
【００１３】
以下、この発明に係る切断工具を実施するための形態を図面に基づいて説明する。
【００１４】
図１〜図７は、本発明の第一の実施の形態を示す。図中符号１は、長尺材を切断する切断工具を示す。
【００１５】
この切断工具１は、前記長尺材としての第１の長尺材５１を切断すべく支持する支持体２を有する、工具本体３と、工具本体３における支持体２の側方を回動軸心４としてその回動軸心４回りに回動可能な刃体５と、刃体５を支持体２側に回動させる回動手段６とを備える。
【００１６】
ここで、支持体２は、前記長尺材としての、第１の長尺材５１とは異なる別の第２の長尺材５２を、切断すべく支持するためのアダプタ７が、着脱可能に装着される、装着部８を備える。すなわち、この切断工具１にあっては、支持体２は、装着部８に対して、アダプタ７を着脱することで、第１の長尺材５１と第２の長尺材５２とを、それぞれ切断すべく支持可能である。そして、アダプタ７は、刃体５が進入可能な進入空間９を間に形成するように対向位置して第２の長尺材５２を支持する一対の支持部７ａ、７ａと、それら一対の支持部７ａ、７ａを連結する連結部７ｂとを有する。さらに、連結部７ｂは、アダプタ７を装着部８に装着した状態で、刃体５の回動範囲の外側に位置するように形成されている。図示実施の形態においては、連結部７ｂは、一対の支持部７ａ、７ａの下端側に設けられており、その連結部７ｂは、アダプタ７を装着部８に装着した状態で、支持体２側の回動終点位置に位置する刃体５よりも下方に位置する（図３参照）。
【００１７】
具体的には、回動手段６は、工具本体３に備わる固定ハンドル３ａと、工具本体３に回動可能に取り付けられて、固定ハンドル３ａに近接したり離間したりするように遥動操作される操作ハンドル１０と、その操作ハンドル１０の遥動操作により、刃体５を支持体２側に回動させるラチェット機構１１とを備える。ここにおいて、固定ハンドル３ａおよび操作ハンドル１０は、刃体５の回動軸心４を基準に、支持体２側とは反対側に延出するようにして設けられている。なお、刃体５の回動範囲は、工具本体３に対してやや垂直寄りで斜めに起立する回動始点位置（図１〜図２において実線で示される。）から、工具本体３に対して略平行となる前記回動終点位置（図１〜図３において二点鎖線で示される。）までとなる。
【００１８】
工具本体３は、本体１２と、前記支持体２と、前記操作ハンドル１０を軸支するためのハンドル支持材１３とを備える。ここで、本体１２は、その中央下部から、支持体２側に突出する顎部１２ａと、その中央上部から、支持体２側とは反対側に突出する前記固定ハンドル３ａとを有する。この本体１２には、刃体５の基端部分が収容される第１のスリット１２ｂが形成されている（図２参照）。そして、本体１２には、第１のスリット１２ｂを横切るようにして、刃体５の回動軸心４を形成するための、軸部材１４が取り付けられる。なお、刃体５は、本体１２の内部に配備された（詳しくは、軸部材１４を巻回するように配備された）スプリング（図示せず）により、支持体２から離れた上方を向くように弾性付勢される。
【００１９】
ハンドル支持材１３は、本体１２（詳細には、本体１２の中央下部）に、ピン１５、１５を用いて固定される。そして、このハンドル支持材１３に、前記操作ハンドル１０が、ピン１６を用いることで、そのピン１６の軸心回りに回動可能に取り付けられる。ここで、操作ハンドル１０は、その内部に配備された（詳しくは、後述するピン２１を巻回するように配備された）スプリング（図示せず）により、固定ハンドル３ａから離間するように弾性付勢される。なお、図１、図６および図７においては、ストッパー１７が、操作ハンドル１０の内側に設けられた被ストッパー部（図示せず）に掛け止められて、操作ハンドル１０の揺動操作が規制された状態となっている。
【００２０】
また、ラチェット機構１１は、刃体５の基端部側の端面に形成された爪車部５ａと、その爪車部５ａを送る爪部材１８と、爪車部５ａの戻りを止める戻り止め部材１９とを備える。そして、図示実施の形態においては、ラチェット機構１１は、爪車部５ａの戻りを補助的に止める補助戻り止め部材２０を有している。爪部材１８は、操作ハンドル１０に、ピン２１を用いることで、そのピン２１の軸心回りに回動可能に取り付けられ、かつ、ピン２１を巻回するように配備された前記スプリング（図示せず）により、爪車部５ａ側に弾性付勢される。戻り止め部材１９および補助戻り止め部材２０は、固定ハンドル３ａに、ピン２２を用いることで、そのピン２２の軸心回りに回動可能に取り付けられ、かつ、固定ハンドル３ａの内部に配備された（詳しくは、ピン２３を巻回するように配備された）スプリング（図示せず）により、爪車部５ａ側に弾性付勢される。
【００２１】
ここで、この切断工具１によって切断される第１の長尺材５１および第２の長尺材５２や、それら第１の長尺材５１や第２の長尺材５２を切断すべく支持する、支持体２およびアダプタ７、ならびにアダプタ７が装着される装着部８について、詳細に説明する。
【００２２】
第１の長尺材５１は、例えば、配管材保護カバー５３（例えば、通水管やエアコン用の冷媒管とか給水湯管等の配管材５４を収容保護する、モール・ダクト類）を構成するベース体からなる（図５参照）。また、第２の長尺材５２は、例えば、同じく配管材保護カバー５３を構成するカバー体からなり、第１の長尺材５１とは、縦断面の形状および大きさが異なっている。すなわち、ベース体からなる第１の長尺材５１とカバー体からなる第２の長尺材５２とは、互いに組み付けられて、配管材保護カバー５３を構成する。そして、図示実施の形態の配管材保護カバー５３は、第１の長尺材５１にアタッチメント５５を取り付けることによって、４本の配管材５４、５４を上下２段に分けて収容することができる。なお、符号５６は、断熱材を示し、縦断面形状が略逆Ｕ字状のカバー体からなる、第２の長尺材５２の内面側を覆うように設けられている。
【００２３】
一方、支持体２は、取付ネジ（図示せず）を用いることで、本体１２（詳細には顎部１２ａ）に着脱可能に固定される。そして、支持体２には、刃体５が進入する、前記本体１２の第１のスリット１２ｂと連通する第２のスリット２ａが設けられている（図２および図４参照）。詳細には、支持体２は、基部２ｂと、その基部２ｂから上方に向かって起立する起立部２ｃとを備える。この起立部２ｃは、第２のスリット２ａを間に形成するように対向位置する一対の支持壁部２ｄ、２ｄと、それら一対の支持壁部２ｄ、２ｄを、前端部にて連結する連結壁部２ｅとを有し、平面視略コ字状に形成されている（図２〜図４参照）。図示実施の形態においては、第２のスリット２ａは、底部側ほど若干幅狭となるように、テーパ状に形成されている（図３参照）。そして、連結壁部２ｅは、刃体５の回動範囲の外側（図示実施の形態においては、前記回動終点位置に位置する刃体５の長手方向における、固定ハンドル３ａおよび操作ハンドル１０側とは反対側の延長線上）に位置している。
【００２４】
ここで、支持壁部２ｄは、回動軸心４に近い側に、前記ベース体からなる第１の長尺材５１を切断すべく支持するように受ける支持受け部２ｆを備える（図６参照）。この支持受け部２ｆは、第１の長尺材５１が載置される載置部２ｇと、その載置部２ｇに載置された第１の長尺材５１の切断時における横ずれを規制する、左右の規制部２ｈ、２ｈとを備える。図示実施の形態においては、載置部２ｇは、回動軸心４側ほど低くなるように傾斜する傾斜面２ｉを有し、また、規制部２ｈ、２ｈは、その傾斜面２ｉの傾斜方向の両側に規制面２ｊ、２ｊを有する。詳しくは、傾斜面２ｉの低い側である一方側（すなわち、回動軸心４に近い側）には、段差水平面２ｋを間に置いて、一方の前記規制面２ｊが、傾斜面２ｉの傾斜方向に対して略直交するように斜めに起立し、また、傾斜面２ｉの高い側である他方側（すなわち、回動軸心４から遠い側）には、他方の前記規制面２ｊが、傾斜面２ｉの端部にてその傾斜面２ｉの傾斜方向に対して略直交するように斜めに起立している。
【００２５】
また、支持壁部２ｄは、第２の長尺材５２の片側の側壁部５２ａを嵌め入れるための溝部２ｍを備える。この溝部２ｍは、回動軸心４から遠い側に位置する規制部２ｈに隣接するようにして設けられており、かつ、その規制部２ｈ側に位置する一方の溝部側壁２ｐは、その下部が、相対向する他方の溝部側壁２ｑの下端に向かって湾曲するように延びている。こうして、この溝部２ｍは、底部２ｒが開口部２ｓよりも幅狭となっている（図１および図６参照）。
【００２６】
そして、図示実施の形態においては、支持受け部２ｆの中央部分に、前記装着部８が設けられている。具体的には、装着部８は、アダプタ７（詳細には、一対の支持部７ａ、７ａの後述する延設部７ｄ、７ｄ、および連結部７ｂ）が挿入される挿入穴部８ａを有する（図２〜図４参照）。この挿入穴部８ａは、一対の支持壁部２ｄ、２ｄおよび基部２ｂの内面側が凹んで、第２のスリット２ａと連通する、平面視矩形状の縦穴となっている（図２および図４参照）。そして、この挿入穴部８ａの両側を囲う各支持壁部２ｄ、２ｄは、前記内面側の凹みに対応して、その外面側が外方に突き出ている（図４参照）。さらに、アダプタ７を装着部８に装着した状態において、第２スリット２ａの底面と、アダプタ７の連結部７ｂの内面とが面一となっている（図３参照）。
【００２７】
アダプタ７は、鉄等の強磁性体金属からなり、装着部８には、アダプタ７を吸着固定する磁石部８ｂが設けられている。詳細には、磁石部８ｂは、基部２ｂ内であって、挿入穴部８ａの底部下方に設けられている（図３および図４参照）。そして、アダプタ７を装着部８に装着した状態においては、進入空間９が、第２スリット２ａと重なり、かつ、連結部７ｂは、刃体５の回動範囲の外側となる、前記回動終点位置に位置する刃体５よりも下方に位置する（図１および図３参照）。
【００２８】
また、この装着部８に装着される前記アダプタ７は、その縦断面形状が細幅の略Ｕ字状に形成されている（図３参照）。詳細には、アダプタ７の各支持部７ａ、７ａは、幅広に形成された支持本体７ｃ、７ｃと、その支持本体７ｃ、７ｃの下部中央から幅狭で下方に延設された延設部７ｄ、７ｄとを備え、それら延設部７ｄ、７ｄの下端間に渡すように、前記連結部７ｂが、支持部７ａ、７ａと一体に形成されている（図１および図４参照）。詳しくは、支持本体７ｃの下辺７ｅは、支持壁部２ｄが備える載置部２ｇの傾斜面２ｉに沿うように斜めに形成された直線部を備え、また、その上辺７ｆは、水平に形成された直線部を備える（図４および図７参照）。さらに、支持本体７ｃの左右の各側辺７ｇ、７ｇは、鉛直に形成された直線部を備える。そして、前記上辺７ｆと、一方の側辺７ｇ（すなわち、アダプタ７が装着部８に装着された際に、回動軸心４に近い側に位置することとなる側辺７ｇ）とは、第２の長尺材５２の内側コーナー部Ｃの曲面に対応するように湾曲する、曲線部７ｈを介してつながっている。なお、図示実施の形態においては、一対の支持部７ａ、７ａ（支持本体７ｃ、７ｃおよび延設部７ｄ、７ｄ）の離間寸法は、支持体２の第２のスリット２ａの溝幅よりも若干広く形成されている（図３参照）。
【００２９】
次に、以上の構成からなる切断工具１の作用効果について説明する。この切断工具１を用いて、第１の長尺材５１を切断するには、始めに、第１の長尺材５１を、支持体２の支持受け部２ｆ内の載置部２ｇ、２ｇ（傾斜面２ｉ、２ｉ）に載置する（図６参照）。このとき、第１の長尺材５１は、前記回動始点位置に位置する刃体５側を向くように傾斜するとともに、その第１の長尺材５１の下側に位置する側方が、回動軸心４に近い側である一方の規制面２ｊに当接するようにして、支持される。そこで、回動手段６により、すなわち、操作ハンドル１０を遥動操作することで、刃体５を支持体２側に回動させる。そして、刃体５が第２のスリット２ａ内に進入して、第１の長尺材５１を切断する。なお、第１の長尺材５１が、刃体５による切断の際に横ずれしようとしても、規制部２ｈ、２ｈ（規制面２ｊ、２ｊ）がその横ずれを規制することとなる。
【００３０】
また、この切断工具１を用いて、第２の長尺材５２を切断するには、始めに、刃体５が前記回動始点位置に位置した状態で、アダプタ７の延設部７ｄ、７ｄおよび連結部７ｂを、装着部８の挿入穴部８ａに挿入する（図７参照）。このとき、支持部７ａ、７ａ（詳しくは、支持本体７ｃ、７ｃの下辺７ｅ、７ｅ）は、支持壁部２ｄ、２ｄの載置部２ｇ、２ｇ（傾斜面２ｉ、２ｉ）と当接し、また、延設部７ｄ、７ｄおよび連結部７ｂは、支持壁部２ｄ、２ｄおよび基部２ｂの前記内面側の凹みに嵌り込む（図３参照）。これにより、アダプタ７は、その挿入方向と直交する方向への動きが規制され、支持体２に対して位置決めされる。さらに、連結部７ｂが磁石部８ｂに吸着固定され、こうして、アダプタ７が装着部８に装着される。そして、第２の長尺材５２を、その内面側を下向きにして、支持部７ａ、７ａに載置するとともに、片側の側壁部５２ａを、支持壁部２ｄ、２ｄの溝部２ｍ、２ｍに嵌め入れる。このとき、第２の長尺材５２は、両側壁部５２ａ、５２ａ間が若干押し広げられた状態となって、片側の側壁部５２ａが、溝部２ｍ、２ｍに嵌り込み、かつ、反対側の側壁部５２ａおよび上壁部５２ｂが、アダプタ７の支持部７ａ、７ａ（詳細には、支持本体７ｃ、７ｃ）に当接するようにして、支持される。そこで、回動手段６により、すなわち、操作ハンドル１０を遥動操作することで、刃体５を支持体２側に回動させる。そして、刃体５が、アダプタ７の前記進入空間９内および第２のスリット２ａ内に進入して、第２の長尺材５２を切断する。なお、第２の長尺材５２が、刃体５による切断の際に横ずれしようとしても、アダプタ７の支持部７ａ、７ａ（詳細には、支持本体７ｃ、７ｃの、回動軸心４に近い側に位置する一方の側辺７ｇ、７ｇおよび曲線部７ｈ、７ｈ）が、その横ずれを規制することとなる。
【００３１】
このように、この切断工具１にあっては、工具本体３は、第１の長尺材５１を切断すべく支持する支持体２を有し、その支持体２は、第１の長尺材５１とは縦断面の形状または／および大きさ（図示実施の形態においては、縦断面の形状および大きさ）が異なる別の第２の長尺材５２を、切断すべく支持するためのアダプタ７が、着脱可能に装着される、装着部８を備えている。そこで、装着部８に対して、アダプタ７を着脱することで、第１の長尺材５１と第２の長尺材５２とを、それぞれ切断すべく支持可能となり、その後、回動手段６により、刃体５を支持体２側に回動させることで、この切断工具１は、それら長尺材、すなわち、縦断面の形状または／および大きさ（図示実施の形態においては、縦断面の形状および大きさ）が互いに異なる別の長尺材をそれぞれ切断することができる。ここで、アダプタ７は、刃体５が進入可能な進入空間９を間に形成するように対向位置して第２の長尺材５２を支持する一対の支持部７ａ、７ａが、連結部７ｂによって連結されており、装着部８に対して各支持部７ａ、７ａをそれぞれ個別に着脱する必要がない。このため、この切断工具１は、アダプタ７の着脱に手間がかからず、また、アダプタ７の不使用時に、両支持部７ａ、７ａが散らばって紛失しないように注意を払う必要もなく、使い勝手がよい。しかも、連結部７ｂは、アダプタ７を装着部８に装着した状態で、刃体５の回動範囲の外側（図示実施の形態においては、支持体２側の回動終点位置に位置する刃体５よりも下方）に位置するように形成されているため、第２の長尺材５２を切断する際に、連結部７ｂが刃体５と干渉して刃体５の回動を妨げる虞もない。
【００３２】
また、図示実施の形態においては、アダプタ７は、鉄等の強磁性体金属からなり、装着部８には、アダプタ７を吸着固定する磁石部８ｂが設けられているため、アダプタ７が装着部８から不用意に抜脱するのを防止することができる。
【００３３】
なお、本発明は、上述した実施の形態に限定されるわけではなく、その他種々の変更が可能である。例えば、第１の長尺材５１は、配線材保護カバー（例えば、信号線や電力線等の配線材を収容保護するモール・ダクト類）を構成するベース体からなってもよく、また、第２の長尺材５２は、同じく配線材保護カバーを構成するカバー体からなってもよい。
【００３４】
ここで、例えば、図８に示されるような配管材保護カバー５３ａを、この切断工具１を用いて切断する場合において、その配管材保護カバー５３ａを構成するベース体５３ｂとカバー体５３ｃとを、組み付けたまま同時に切断しても構わない。この配管材保護カバー５３ａは、前述の配管材保護カバー５３とは、カバー体の縦断面の形状および大きさが異なっている（具体的には、カバー体５３ｃの高さ寸法が、カバー体からなる前述の第２の長尺材５２の高さ寸法の半分強の寸法となっている）。そして、切断工具１を用いて、配管材保護カバー５３ａを切断するには、始めに、配管材保護カバー５３ａを、支持体２の支持受け部２ｆ内の載置部２ｇ、２ｇ（傾斜面２ｉ、２ｉ）に載置する（図８参照）。このとき、配管材保護カバー５３ａは、前記回動始点位置に位置する刃体５側を向くように傾斜するとともに、その配管材保護カバー５３ａ（詳細には、カバー体５３ｃ）の下側に位置する側方が、回動軸心４に近い側である一方の規制面２ｊに当接するようにして、支持される。そこで、回動手段６により、すなわち、操作ハンドル１０を遥動操作することで、刃体５を支持体２側に回動させる。そして、刃体５が第２のスリット２ａ内に進入して、配管材保護カバー５３ａを切断する。なお、配管材保護カバー５３ａが、刃体５による切断の際に横ずれしようとしても、規制部２ｈ、２ｈ（規制面２ｊ、２ｊ）がその横ずれを規制し、また、カバー体５３ｃが、刃体５による切断の際に変形しようとしても、ベース体５３ｂが下から支えてその変形を阻止することとなり、こうして、それらベース体５３ｂとカバー他５３ｃとが同時に切断される。
【００３５】
なお、図８に示されるように、配管材保護カバー５３ａを、ベース体５３ｂとカバー体５３ｃとを組み付けたまま同時に切断する場合には、配管材保護カバー５３ａは、第１の長尺材５１に該当する。これに対し、ベース体５３ｂとカバー体５３ｃとを、別々に切断する場合において、例えば、それらベース体５３ｂとカバー体５３ｃとを、別々に支持体２の支持受け部２ｆ内の載置部２ｇ、２ｇ（傾斜面２ｉ、２ｉ）に載置して切断する場合には、ベース体５３ｂおよびカバー体５３ｃが、第１の長尺材５１に該当する。一方、ベース体５３ｂとカバー体５３ｃとを、別々に切断する場合において、例えば、図６および図７に示される実施の形態と同様に、ベース体５３ｂを、支持体２の支持受け部２ｆ内の載置部２ｇ、２ｇ（傾斜面２ｉ、２ｉ）に載置して切断し、かつ、カバー体５３ｃを、アダプタ７の支持部７ａ、７ａに載置して切断する場合には、ベース体５３ｂが第１の長尺材５１に該当し、カバー体５３ｃが、第２の長尺材５２に該当する。
【００３６】
また、第１の長尺材および第２の長尺材は、前述したようなベース体やカバー体（あるいは、ベース体とカバー体とを組み付けてなる配線・配管材保護カバー）からならなくてもよく、例えば、管材（例えば、前述の配管材５４など）からなってもよい。すなわち、図９〜図１１に示される第二の実施の形態においては、第１の長尺材５１は、相対的に径の大きい、縦断面円形状の管材からなる（図１０参照）。また、第２の長尺材５２は、相対的に径の小さい、縦断面円形状の管材からなり、第１の長尺材５１とは、縦断面の大きさが異なっている（図１１参照）。この実施の形態において、切断工具１は、支持体２を有する工具本体３と、刃体５と、回動手段６とを備える。そして、支持体２の支持受け部２ｆ内の載置部２ｇは、第１の長尺材５１の外周に沿うことができるように、半円弧状に湾曲形成された湾曲面２ｔを有し、この湾曲面２ｔの両側上部が、規制部２ｈを構成する規制面２ｊの役目を果たす。また、支持受け部２ｆの中央部分には、挿入穴部８ａを有する装着部８が設けられている。そして、この切断工具１においても、支持体２は、既述した第一の実施の形態と同様に、装着部８に対して、アダプタ７を着脱することで、第１の長尺材５１と第２の長尺材５２とを、それぞれ切断すべく支持可能である。
【００３７】
一方、アダプタ７は、刃体５が進入可能な進入空間９を間に形成するように対向位置する一対の支持部７ａ、７ａと、それら一対の支持部７ａ、７ａを連結する連結部７ｂとを有する。このアダプタ７の支持部７ａは、その支持本体７ｃが、支持壁部２ｄの湾曲面２ｔに沿うように円弧状に湾曲形成された、左右の外側円弧部７ｉ、７ｉと、第２の長尺材５２の外周に沿うことができるように、円弧状に湾曲形成された内側円弧部７ｊとを有し、正面視略Ｃ字状に形成されている。そして、各支持本体７ｃ、７ｃの下部中央から延設された延設部７ｄ、７ｄの下端間に渡すように、前記連結部７ｂが、支持部７ａ、７ａと一体に形成されている（図９および図１１参照）。
【００３８】
この切断工具１を用いて、第１の長尺材５１を切断する場合には、始めに、第１の長尺材５１を、支持体２の支持受け部２ｆ内の載置部２ｇ、２ｇ（湾曲面２ｔ、２ｔ）に載置する（図１０参照）。そこで、回動手段６により、すなわち、操作ハンドル１０を遥動操作することで、刃体５を支持体２側に回動させる。そして、刃体５が第２のスリット２ａ内に進入して、第１の長尺材５１を切断する。なお、第１の長尺材５１が、刃体５による切断の際に横ずれしようとしても、規制部２ｈ、２ｈ（規制面２ｊ、２ｊ）がその横ずれを規制することとなる。
【００３９】
また、切断工具１を用いて、第２の長尺材５２を切断する場合には、始めに、刃体５が前記回動始点位置に位置した状態で、アダプタ７の延設部７ｄ、７ｄおよび連結部７ｂを、装着部８の挿入穴部８ａに挿入する（図１１参照）。このとき、支持部７ａ、７ａ（詳しくは、支持本体７ｃ、７ｃの外側円弧部７ｉ、７ｉ）は、支持壁部２ｄ、２ｄの載置部２ｇ、２ｇ（湾曲面２ｔ、２ｔ）と当接し、また、既述した第一の実施の形態と同様に、延設部７ｄ、７ｄおよび連結部７ｂは、支持壁部２ｄ、２ｄおよび基部２ｂの内面側の凹みに嵌り込む。そして、第２の長尺材５２を、支持部７ａ、７ａの内側円弧部７ｊ、７ｊに載置する（図１１参照）。そこで、回動手段６により、すなわち、操作ハンドル１０を遥動操作することで、刃体５を支持体２側に回動させる。そして、刃体５が、アダプタ７の前記進入空間９内および第２のスリット２ａ内に進入して、第２の長尺材５２を切断する。なお、第２の長尺材５２が、刃体５による切断の際に横ずれしようとしても、アダプタ７の支持部７ａ、７ａ（詳細には、支持本体７ｃ、７ｃの内側円弧部７ｊ、７ｊの両側上部）が、その横ずれを規制することとなる。
【００４０】
もちろん、第１の長尺材５１および第２の長尺材５２は、前述したようなベース体やカバー体（あるいは、ベース体とカバー体とを組み付けてなる配線・配管材保護カバー）とか管材に限定されるものではなく、様々な形状、大きさ、材料からなる長尺材を用いることができる。
【００４１】
また、連結部７ｂは、アダプタ７を装着部８に装着した状態で、支持体２側の回動終点位置に位置する刃体５よりも下方に位置していなくてもよく、例えば、支持体２の連結壁部２ｅのように、前記回動終点位置に位置する刃体５の長手方向における、固定ハンドル３ａおよび操作ハンドル１０側とは反対側の延長線上に位置してもよい。したがって、連結部７ｂは、一対の支持部７ａ、７ａの下端側に設けられていなくてもよい。
【００４２】
なお、既述した第一および第二の実施の形態の切断工具１にあっては、支持体２は、装着部８に対して、アダプタ７を着脱することで、第１の長尺材５１と第２の長尺材５２とを、それぞれ切断すべく支持可能であるが、これに限定されるわけではなく、例えば、支持体２は、装着部８に対して、複数種類のアダプタ（例えば、延設部および連結部が共通するも、支持本体が、互いに異なる形状や大きさ等からなる、複数種類のアダプタ）を選択的に装着することで、第１の長尺材と第２の長尺材とを、それぞれ切断すべく支持可能であってもよい。また、このような切断工具１にあっては、支持体２が、第１の長尺材５１を切断すべく支持するように受ける支持受け部２ｆとか、第２の長尺材５２の片側の側壁部５２ａを嵌め入れるための溝部２ｍとかを備えていなくても構わない。また、既述した第一および第二の実施の形態の切断工具１において、支持体２は、装着部８に対して、前記複数種類のアダプタを選択的に装着することで、第１の長尺材５１に加えて、その第１の長尺材５１とは異なる別の複数種類の第２の長尺材を、それぞれ切断すべく支持可能であってもよい。
【００４３】
また、支持体２は、装着部８におけるアダプタ７の装着位置を調節することで（例えば、装着部８は、アダプタ７の位置を調節する位置調節手段を備え、その位置調節手段によって、工具本体３の長手方向におけるアダプタ７の位置を調節することで）、第１の長尺材と第２の長尺材とを、それぞれ切断すべく支持可能であってもよい。ここにおいて、位置調節手段は、例えば、装着部８が、工具本体３の長手方向に並ぶ複数の装着穴部を有する構成からなり、それら複数の装着穴部のうちの任意の装着穴部に対して、アダプタ７を装着することで、前記長手方向におけるアダプタ７の位置を調節することができるようなものであってもよい。そして、このような切断工具１にあっても、支持体２が、支持受け部２ｆとか溝部２ｍとかを備えていなくても構わない。また、既述した第一および第二の実施の形態の切断工具１において、支持体２は、装着部８におけるアダプタ７の装着位置を調節することで、第１の長尺材５１に加えて、その第１の長尺材５１とは異なる別の複数種類の第２の長尺材を、それぞれ切断すべく支持可能であってもよい。
【００４４】
そして、上述したように、支持体２が、装着部８に対して複数種類のアダプタを選択的に装着することで、または、装着部８におけるアダプタ７の装着位置を調節することで、第１の長尺材と第２の長尺材とを、それぞれ切断すべく支持可能である構成においても、連結部７ｂは、アダプタ７を装着部８に装着した状態で、刃体５の回動範囲の外側に位置するように形成されていればよく、必ずしも、支持体２側の回動終点位置に位置する刃体５よりも下方に位置していなくてもよい。したがって、連結部７ｂは、アダプタ７を装着部８に装着した状態で、例えば、支持体２の連結壁部２ｅのように、前記回動終点位置に位置する刃体５の長手方向における、固定ハンドル３ａおよび操作ハンドル１０側とは反対側の延長線上に位置してもよく、必ずしも、一対の支持部７ａ、７ａの下端側に設けられている必要はない。
【００４５】
また、切断工具１は、必ずしも、装着部８に一度に装着できるアダプタの数が１つであるような構成に限定されるものではなく、例えば、一対の支持部と、それら一対の支持部を連結する連結部とを有するアダプタが、装着部８に一度に複数装着できるような構成（例えば、装着部８が、複数の装着穴部を有する等）であっても構わない。
【００４６】
また、アダプタ７は、鉄等の強磁性体金属からならなくてもよく、例えば、強磁性体以外の金属とか合成樹脂などからなっていてもよい。また、装着部８には、アダプタ７を吸着固定する磁石部８ｂが設けられていなくてもよい。
【００４７】
また、回動手段６は、ラチェット機構１１を備えているが、他の倍力機構を備えるものであってもよく、また、それらの機構を備えることなく、単に、操作ハンドル１０が、刃体５に直接連結されるものであってもよい。
【符号の説明】
【００４８】
１    切断工具
２    支持体
３    工具本体
４    回動軸心
５    刃体
６    回動手段
７    アダプタ
７ａ  支持部
７ｂ  連結部
８    装着部
５１  第１の長尺材
５２  第２の長尺材
【図１】
2014104118.tif 000003
【図２】
2014104118.tif 000004
【図３】
2014104118.tif 000005
【図４】
2014104118.tif 000006
【図５】
2014104118.tif 000007
【図６】
2014104118.tif 000008
【図７】
2014104118.tif 000009
【図８】
2014104118.tif 000010
【図９】
2014104118.tif 000011
【図１０】
2014104118.tif 000012
【図１１】
2014104118.tif 000013
【図１２】
2014104118.tif 000014